(57)【要約】【課題】従来の物干し器では洗濯物を外すときにピンチを一個ずつ解放しなければならなかったのを一度の操作だけで全洗濯物がいっせいに外れるようにする。【解決手段】各ピンチに手動でばね力を加えた状態でロックがかかるようにし、そのロックをいっせいに解放できるようにした。【選択図】図２
0003136133.tif 000002
【実用新案登録請求の範囲】
【請求項１】
物干し器で、洗濯物をはさむ各ピンチを手動でばね力を加えて洗濯物をはさみ、かつはさんだその位置でロックがかかる構造とし、また一個の機構の操作によって全ピンチのロックが解放されて洗濯物が全部いっきに外れるようにしたことを特徴とする物干し器。
【考案の詳細な説明】
【技術分野】
【０００１】本考案は、各ピンチ部にばね力を加えてロックをかけ、そのロックをいっせいに解放できるようにした物干し器。
【背景技術】
【０００２】従来は各ピンチは洗濯物を固定するだけで、それをいっせいに解放する機構がなかったため、洗濯物を外すときは各ピンチを一個ずつ解放しなければならなかった。
【考案の開示】
【考案が解決しようとする課題】
【０００３】従来の物干し器は洗濯物を外すときピンチを一個ずつ解放しなければならなかった。
【課題を解決するための手段】
【０００４】洗濯物をピンチに手動でばね力を加えてはさむようにし、かつその位置でロックがかかるようにし、そのロックを一個の機構の操作によっていっせいに解放できるようにした。
【考案の効果】
【０００５】一個の操作により全洗濯物をいっきに外すことができる。
【考案を実施するための最良の形態】
【０００６】ピンチに手動でばね力を加えて洗濯物をはさむようにし、かつその位置でロックがかかるようにする。そのロックは一個ごとにも解放できるが、全ピンチのロックがいっせいに解放できる連結解放機構を設ける。
【実施例】
【０００７】添付図面に従って一実施例を説明する。
１、２は洗濯物をはさむピンチで、２の回転軸の反対側にあるロックアーム３を５に向かって指ではさむと２と３の間にあるばね１１を加圧して２が１に押し付けられ、洗濯物がはさみこまれる。【０００８】この位置でロックアーム３にあるフック４が、ばね１２によって上方に押されているロックバー６の穴７に入ってその位置でロックされる。【０００９】洗濯物を外すにはロックバー６の頭部を下方に押すとフック４が７の穴から外れて、ばね１１と１３の力によりロックアーム３とピンチ２が開いた位置に戻り、洗濯物は解放される。【００１０】ロックバー６の下端には三角形のカム８があり、それに相対した三角形カム９が取り付けられたフィルム状ベルト１０が矢印方向に引かれると、９が８を押し下げロックバー６が下方に引かれてロックが解放される。【００１１】各ピンチ列の方向に設けられたベルト１０は図３に例示するように中央の一個の押しボタン１４に連結されており、１４を押すとばね１５で引かれている各ベルト１０が矢印の方向に引かれて各ピンチのロックが一斉に解放される。
【図面の簡単な説明】
【００１２】
【図１】本考案の３２ピンチの場合の一実施例の側面図
【図２】ピンチ部分の詳細図
【図３】ピンチ列２の場合で示したいっき外しの構造図
【符号の説明】
【００１３】  １  固定ピンチ
２  可動ピンチ
３  可動ロックアーム
４  フック
５  固定ロックアーム
６  ロックバー
７  フック４が入るロックバー６内の穴
８  ロックバー６の下端の三角形カム
９  ベルト１０に固定された三角形カム
１０  フィルム状ベルト
１１  ピンチ２に力を加えるばね
１２  ロックバー６を上方に押すばね
１３  ピンチ２とロックアーム３を解放方向に戻すばね
１４  いっき解放押しボタン
１５  ベルト１０を引き戻すばね
【図１】
0003136133.tif 000003
【図２】
0003136133.tif 000004
【図３】
0003136133.tif 000005
【手続補正書】
【提出日】平成19年5月1日(2007.5.1)
【手続補正１】
【補正対象書類名】実用新案登録請求の範囲
【補正対象項目名】請求項１
【補正方法】変更
【補正の内容】
【請求項１】
吊り下げ型物干し器の枠に必要個数のピンチ部を設け、各ピンチ部は枠の下部に固定されたピンチとそれに向かい合った可動ピンチとを設け、又枠の上部には固定ロックアームとそれに向かい合った可動ロックアームとを設け、可動ピンチと可動ロックアームとは枠内の同一の軸を中心に回転し、可動ロックアームを固定ロックアームの方向につまみ合わせると、洗濯物を挟むのに必要な力のばねを介して可動ピンチが固定ピンチの方向に回転し、固定ピンチとの間に洗濯物を挟むことができる。  このとき可動ロックアームのフックが固定ロックアーム内にある上方にばねで押されているロックバーの穴を押し下げて入り、可動ロックアームはその位置でロックされ、可動ピンチのばね力により洗濯物が保持される。この状態でロックバーを下方に押すと可動ロックアームのフックがロックバーから外れて、可動ロックアームと可動ピンチとが解放されて洗濯物が外れる。又ロックバーの下端にカムを設け、それに相対して移動するとロックバーが下方に押し下げられるようなカムを各ピンチ部に到達するベルト状帯の上に各ピンチ部毎に設け、各ピンチ部方向のベルトは総て枠中央部にある一個の押しボタンに接続され、そのボタンを押すと総てのベルトが引かれ、総ての押し下げカムが総てのロックバーを押し下げて、総ての可動ロックアームと可動ピンチとが解放されて全洗濯物がいっきに外れることを特徴とする物干し器。
【手続補正２】
【補正対象書類名】明細書
【補正対象項目名】０００１
【補正方法】変更
【補正の内容】
【０００１】本考案は、各ピンチ部にばね力を加えて洗濯物を挟んでロックをかけ、そのロックをいっせいに解放して全洗濯物がいっきに外れるようにした物干し器に関するものである。
【手続補正３】
【補正対象書類名】明細書
【補正対象項目名】０００３
【補正方法】変更
【補正の内容】
【０００３】従来の物干し器は洗濯物を外すときピンチを一個ずつ解放しなければならなかったのを、一回の操作で全洗濯物がいっきに外れるようにするものである。
【手続補正４】
【補正対象書類名】明細書
【補正対象項目名】０００４
【補正方法】変更
【補正の内容】
【０００４】吊り下げ型物干し器の枠に必要個数のピンチ部を設け、各ピンチ部は枠の下部に固定されたピンチとそれに向かい合った可動ピンチとを設け、又枠の上部には固定ロックアームとそれに向かい合った可動ロックアームとを設け、可動ピンチと可動ロックアームとは枠内の同一の軸を中心に回転するようにし、可動ロックアームを固定ロックアームの方向につまみ合わせると、洗濯物を挟むのに必要な力のばねを介して可動ピンチが固定ピンチの方向に回転し、固定ピンチとの間に洗濯物が挟めるようにする。可動ロックアームにはフックを設け、それが固定ロックアーム内にある上方にばねで押されているロックバーの穴を押し下げて入り、可動ロックアームがその位置でロックされ、可動ピンチのばね力により洗濯物が保持される。この状態でロックバーを下方に押すと可動ロックアームのフックがロックバーから外れて、可動ロックアームと可動ピンチとが解放されて洗濯物が外れる。又ロックバーの下端にカムを設け、それに相対して移動するとロックバーが下方に押し下げられるようなカムを各ピンチ部に到達するベルト状帯の上に各ピンチ部毎に設け、各ピンチ部方向のベルトは総て枠中央部にある一個の押しボタンに接続し、そのボタンを押すと総てのベルトが引かれ、総ての押し下げカムが総てのロックバーを押し下げ、総ての可動ロックアームと可動ピンチとを解放して、全洗濯物をいっきに外すことができる。
【手続補正５】
【補正対象書類名】明細書
【補正対象項目名】０００６
【補正方法】変更
【補正の内容】
【０００６】本考案を実施するための最良の形態を図１、図２及び図３に示す。図１の側面図に示す各ピンチ部は、図２に示すように固定ピンチ１、可動ピンチ２、可動ロックアーム３及び固定ロックアーム５にて構成し、２と３とは同一の軸上で回転するようにし、３を５の方向につまみ合わせたとき、ばね１１の力により２が１の方向に押しつけられ、１と２の間に洗濯物が挟められるようにする。このとき３の上部にあるフック４が、ばね１２で上方に押し上げられているロックバー６の穴７を押し下げて入り、その位置でロックされて洗濯物が保持される。又６の下端にはカム８を設け、それに相対するカム９を横に動かすと６が下方に押し下げられ、４が外れてロックが解除されて３と２とが解放されて洗濯物が外れる。  このカム９は図３に示すように総てのピンチ部に到達しているベルト状帯１０の上に各ピンチ部毎に設け、各ピンチ部方向のベルト１０を総て枠の中央部にある押しボタン１４に接続し、この１４を押すと総てのベルトが引かれて総てのカム９が移動し、総てのロックバー６を下方に押し下げてロックを解除し、全洗濯物をいっきに外すことができる。
【手続補正書】
【提出日】平成19年7月12日(2007.7.12)
【手続補正１】
【補正対象書類名】実用新案登録請求の範囲
【補正対象項目名】全文
【補正方法】変更
【補正の内容】
【実用新案登録請求の範囲】
【請求項１】
吊り下げ型物干し器の枠に必要個数のピンチ部を設け、各ピンチ部は枠の下部に固定されたピンチとそれに向かい合った可動ピンチを、又枠の上部には固定ロックアームとそれに向かい合った可動ロックアームとを設け、可動ピンチと可動ロックアームとは同一の軸を中心に回転し、可動ロックアームを固定ロックアームにつまみ合わせたとき、ばね力を介して固定ピンチと可動ピンチとの間に洗濯物を挟み、その位置で可動ロックアームがロックされる構成とし、そのロックは各ピンチ部毎に解放出来るとともに、全ピンチ部のロックが一個の操作部の操作により同時に解放される連結機構を設け、この一個の操作部の操作により各ピンチ部に挟んだ洗濯物が全部いっきに外れることを特徴とする物干し器。